(57)【要約】      （修正有）【課題】不使用時にハンドルを本体となるテーブル側にコンパクトに折り畳めて収納や保管が便利で安全性も高い断裁機を提供する。【解決手段】断裁機において、刃受け３３が、長溝４内に摺動自在に嵌合されているとともに、長溝から着脱可能に取り外せるようになっている。また、刃受けを長溝から取り外して断裁刃１５の刃先を該長溝内に入り込ませることにより、ストップピン２７と係止する第２の係止凹部２９がロックレバー２６に設けられている。第２の係止凹部がストップピン２７と係止するとハンドルがさらにテーブル側に接近させて折り畳み可能、かつロックが可能になっている。【選択図】図３
0003179943.tif 000002
【実用新案登録請求の範囲】
【請求項１】
用紙載置用テーブルと、このテーブル上に立設された１対の支持フレームと、この支持フレーム間に上下動可能に保持された断裁刃と、この断裁刃と連動可能に保持され断裁刃の切断時に用紙の上面を押さえるプレスプレートと、前記断裁刃を上方に付勢する付勢部材と、この付勢部材の付勢力に抗して断裁刃を下方に押し下げるローラを有し、断裁刃が待機する時の上方位置と切断する時の下方位置とに揺動可能となり、前記支持フレームに設けた回動軸に枢支されたハンドルと、このハンドルに設けたストップピンとハンドルが上方位置のときに係止する係止凹部を有し、前記支持フレームに設けた支持軸に枢支されたロックレバーと、前記断裁刃の下方であるテーブル上面に形成された長溝に嵌合された刃受けと、を具え、前記断裁刃とプレスプレートは、切断時に前記プレスプレートが用紙の上面を押さえた後も断裁刃が下動可能になっている断裁機において、
前記刃受けは、前記長溝内に摺動自在に嵌合されているとともに、長溝から着脱可能に取り外せるようになっており、長溝から取り外して断裁刃の刃先を該長溝内に入り込ませることにより前記ストップピンと係止する第２の係止凹部が前記ロックレバーに設けられており、第２の係止凹部がストップピンと係止すると前記ハンドルが下方位置よりさらにテーブル側に接近させて折り畳み可能、かつロックが可能になっていることを特徴とする断裁機。
【請求項２】
請求項１に記載の断裁機において、刃受けは、合成樹脂製で、断面が四角形の棒状を呈し、その外面の４面が刃受け面として使用可能になっていることを特徴とする断裁機。
【請求項３】
請求項１又は２に記載の断裁機において、折り畳んだハンドルがテーブル上面とほぼ平行となることを特徴とする断裁機。
【請求項４】
請求項１ないし３のいずれかに記載の断裁機において、マシンカバーを具え、このマシンカバーの後ろ側外面とテーブルの後ろ側端部の面が面一となっていることを特徴とする断裁機。
【請求項５】
請求項４に記載の断裁機において、マシンカバーの後壁の下方が開口し、該開口を経て断裁する用紙を通過可能な構成にしており、かつマシンカバー内の適所には用紙の断裁位置を目視可能なように光ビームを照射する光源が設けられていることを特徴とする断裁機。
【考案の詳細な説明】
【技術分野】
【０００１】
この考案は、各種用紙の断裁機に関し、詳しくは不使用時に操作用のハンドルをコンパクトに本体となるテーブル側に折り畳めて収納や保管が便利で安全性も高い断裁機に係るものである。
【背景技術】
【０００２】
今までのギロチン式断裁機は、業務用だけしかなく個人用として使用するにはサイズ的に大きすぎると言われていた。特に、個人用として使用する場合、家庭で断裁機を使用後にそのまま出しておくと、小さな子供がいる場合などは断裁機に触ったりすることが考えられ、大変危険である。また、狭いスペースの中で使用する時や設置場所が無い場合等でも使用できる断裁機が必要とするユーザーがいる。さらに、近年の電子書籍のニーズが増えて、それに伴い断裁機の個人のニーズも増えてきた。そのため、今までの個人向け断裁機の能力では能力不足と感じるユーザーが増えた。このユーザー層がコンパクトで場所を取らず、収納や保管が簡単な断裁機の開発を要望していた。
【０００３】
また、従来の断裁機を使用しているユーザーの評価は、「切れ味には満足している」等断裁機の性能には一定の評価があるが、不使用時の収納や保管については「サイズが大きすぎる」「しまうのに場所をとる」「重過ぎる」等の不満も見える。
【０００４】
そこで考案者は、まず、コンパクトで軽量、収納や保管が便利で不使用時でも安全性の高いものがユーザーの希望と考えた。このため、ギロチン式断裁機の不使用時の形体から何処の部分が収納の邪魔になるかを考えてみた。結果として不使用時でもテーブルの上面に対して上方に上がったままのハンドルが邪魔であることに気付いた。しかも、平置きしかできないためスペースを取る。ハンドルを折り畳んでダンボールケースに収納する場合、気をつけなければハンドルがテンションスプリングの力で跳ね上がり危険であった。軽量、コンパクトにするため本体のサイズを見直し、必要最小限のサイズを考案することを目標として種々研究の結果、本考案を思いついた。
【０００５】
既存の特許等について調査したところ、裁断器（例えば、特許文献１（実用新案登録請求の範囲、第２図等）参照）を見出した。この裁断器は、特にハンドルの上下動に連動して裁断刃を斜めに上下動させるとともに、該裁断刃の下降位置を光源からの光ビームで台板上にある紙上に表示することにより、多数枚の紙葉類の切断を容易かつ裁断予定位置に対し正確な見当合わせをし得るようにし、また裁断刃が妄りに動かないようにすることを技術的課題とし、そのために実用新案登録請求の範囲に記載したような、枠部材と、ローラと、紙押さえ板と、見当切り個所表示手段と、ハンドルロック機構と、光源スイッチ機構を備えたものである。
【０００６】
ところで、この特許文献１の裁断器は、その図２、図６（ａ）から明らかなようにハンドルが上方位置にあってロック状態のとき台板の上面に対してほぼ垂直の上向き姿勢となるため、この高さで収納せざるを得ない。また、刃受材が受材に形成した長溝に挿着、つまり固着されているため、裁断刃の刃先を刃受材上面に当った位置より下方にもたらせない構成となっているのに加え、用紙を切断する状態においてロックするような仕組みにもなっていないため、不使用時に収納するときには前記のようなロック状態での収納となるが、この場合、前記したように嵩張り、コンパクトにハンドルを台板側に折り畳むことが困難である。しかもロック状態以外のときにはテンションスプリングの力によりハンドルは上方に跳ね上げられ、裁断刃が刃先を現出するため、大変危険であるという問題があった。
【先行技術文献】
【特許文献】
【０００７】
【特許文献１】実公昭６１−４２７９９号公報
【考案の概要】
【考案が解決しようとする課題】
【０００８】
そこでこの考案は、前記のような従来の問題に鑑みて創案されたものであり、不使用時にハンドルを本体となるテーブル側にコンパクトに折り畳めて収納や保管が便利で安全性も高い断裁機を提供することを目的とする。
【課題を解決するための手段】
【０００９】
前記目的を達成するために、請求項１に記載の考案は、用紙載置用テーブルと、このテーブル上に立設された１対の支持フレームと、この支持フレーム間に上下動可能に保持された断裁刃と、この断裁刃と連動可能に保持され断裁刃の切断時に用紙の上面を押さえるプレスプレートと、前記断裁刃を上方に付勢する付勢部材と、この付勢部材の付勢力に抗して断裁刃を下方に押し下げるローラを有し、断裁刃が待機する時の上方位置と切断する時の下方位置とに揺動可能となり、前記支持フレームに設けた回動軸に枢支されたハンドルと、このハンドルに設けたストップピンとハンドルが上方位置のときに係止する係止凹部を有し、前記支持フレームに設けた支持軸に枢支されたロックレバーと、前記断裁刃の下方であるテーブル上面に形成された長溝に嵌合された刃受けと、を具え、前記断裁刃とプレスプレートは、切断時に前記プレスプレートが用紙の上面を押さえた後も断裁刃が下動可能になっている断裁機において、前記刃受けは、前記長溝内に摺動自在に嵌合されているとともに、長溝から着脱可能に取り外せるようになっており、長溝から取り外して断裁刃の刃先を該長溝内に入り込ませることにより前記ストップピンと係止する第２の係止凹部が前記ロックレバーに設けられており、第２の係止凹部がストップピンと係止すると前記ハンドルが下方位置よりさらにテーブル側に接近させて折り畳み可能、かつロックが可能になっていることを特徴とする。
【００１０】
請求項２に記載の考案は、請求項１に記載の断裁機において、刃受けは、合成樹脂製で、断面が四角形の棒状を呈し、その外面の４面が刃受け面として使用可能になっていることを特徴とする。請求項３に記載の考案は、請求項１又は２に記載の断裁機において、折り畳んだハンドルがテーブル上面とほぼ平行となることを特徴とする。
【００１１】
請求項４に記載の考案は、請求項１ないし３のいずれかに記載の断裁機において、マシンカバーを具え、このマシンカバーの後ろ側外面とテーブルの後ろ側端部の面が面一となっていることを特徴とする。請求項５に記載の考案は、請求項４に記載の断裁機において、マシンカバーの後壁の下方が開口し、該開口を経て断裁する用紙を通過可能な構成にしており、かつマシンカバー内の適所には用紙の断裁位置を目視可能なように光ビームを照射する光源が設けられていることを特徴とする。
【考案の効果】
【００１２】
この考案は、前記のようであって、刃受けは、長溝内に摺動自在に嵌合されているとともに、長溝から着脱可能に取り外せるようになっており、長溝から取り外して断裁刃の刃先を該長溝内に入り込ませることによりストップピンと係止する第２の係止凹部がロックレバーに設けられており、第２の係止凹部がストップピンと係止するとハンドルがさらにテーブル側に接近させて折り畳み可能、かつロックが可能になっているから、不使用時に刃受けを長溝から取り外し、その跡の長溝内に刃先が入り込むようにハンドルを下動し、ハンドルに設けたストップピンをロックレバーに設けた第２の係止凹部に係止してロックがかかった状態にすることにより、ハンドルを本体となるテーブル側に接近させてコンパクトに折り畳むことができる。したがって、平置きにしてもあるいは縦置きにしても収納や保管が便利となる。また、前記ロック状態では刃先が長溝内に入り込んでいるため従前のように刃先が現出することに基づき思わぬ怪我をするようなこともなく安全性の高いものとなる。しかも、前記ロック状態では従前のようにスプリングによりハンドルが上方に跳ね上げられたりすることもないので、より安全性が高いという優れた効果がある。
【図面の簡単な説明】
【００１３】
【図１】この考案の一実施の形態に係る断裁機の全体側面図である。
【図２】同上の断裁機の全体の分解斜視図である。
【図３】同上のハンドルが作動前の上方位置にあるときの要部拡大図である。
【図４】同上のハンドルが作動後の下方位置にあるときの要部拡大図である。
【図５】同上のハンドルが折り畳まれた位置にあるときの要部拡大図である。
【図６】同上のハンドルを折り畳み後に収納や保管するときの一例を示す全体側面図である。
【考案を実施するための形態】
【００１４】
この考案の一実施の形態を、添付した図面を参照しながら詳細に説明する。添付した図面の図１，３〜５において右側が使用者と対面する前面となり、左側が後側となる。以下ではこのような位置関係の下、説明することとする。
【００１５】
図１，２において１は断裁機の本体となる用紙載置用テーブルで、該テーブルの後方には１対の支持フレーム２がその両隅部近くに立設されている。フレーム２はテーブル１の上面に対して垂直になっており、中央部の下方には後述の断裁刃とプレスプレートが嵌る大きさの開口溝３が形成されている。左右の開口溝３のほぼ真下になるテーブル１の上面には後述の刃受けが嵌る直線状の長溝４が、一端がテーブル１の一方の端壁近くまで延びて閉鎖され、他端がテーブル１の他方の端面を貫通して開口５した形で設けられている。
【００１６】
フレーム２間には回動軸６が回動可能に取り付けられ、該軸の両端部には操作用のハンドル７を構成する１対のレバーハンドル８の基端部がフレーム２との間にカラー９を介装して取り付けられている。レバーハンドル８の先端部には握り軸１０によって握り部１１が該軸回りを回動可能に取り付けられている。したがって、握り部１１を持ってハンドル１を上下に揺動することが可能である。
【００１７】
また、レバーハンドル８の回動軸６よりやや先端方向に離れた位置にはカッティングロール１２がロール軸１３によって取り付けられている。カッティングロール１２はその周面がレバーハンドル８の下縁よりやや突出するよう配置されており、その突出した周面で後述の断裁刃を押下できるようになっている。
【００１８】
左右の開口溝３間には断裁刃１５とプレスプレート１６が上下動可能に保持されて配置されている。すなわち、断裁刃１５とプレスプレート１６は、断裁刃１５が後側、プレスプレート１６が前側となるように重ね合わされた状態で、その長さ方向の両端部が刃止めボルト１７、刃止めロール１８、テンションスプリング１９、等で常時は上方に付勢され持ち上げられた状態で取り付けられている。すなわち、断裁刃１５とプレスプレート１６は、常時はテンションスプリング１９によりそれらの上端が開口溝３の上端に当接又は近接した状態となっている。この付勢力を保持するためにテンションスプリング１９の一端はフレーム２に取り付けられ、他端は断裁刃１５に設けられ後述の斜孔を経てプレスプレート１６の表面側に突出した刃止めボルト１７に取り付けられている。
【００１９】
また、刃止めボルト１７が通るプレスプレート１６には斜孔２１が切欠により形成され、プレスプレート１６とともに下動される断裁刃１５が、刃止めボルト１７が斜孔２１を移動するのを許容することにより、プレスプレート１６が断裁する用紙（図示せず）の上面に当接した後においても用紙の断裁のために後述の刃受けに当るまで下動を続けられるようになっている。したがって、この斜孔２１の長さは実質的に断裁する用紙の枚葉厚さとなる。また、断裁刃１５とプレスプレート１６は、その中央部が、ボルト、支持ステー、テンションスプリング２３等でも常時は上方に付勢され持ち上げられた状態で支持されている。すなわち、刃止めボルト１７は斜孔２１の上端に当接した状態で断裁刃１５をプレスプレート１６に対して持ち上げている。
【００２０】
回動軸６より上方のフレーム２間には、支持軸２５が取り付けられ、該軸上の一端側にはロックレバー２６が揺動可能に枢支されて取り付けられている。ロックレバー２６は内向き本体部２６ａの中央部下辺にハンドル７が上方位置のときのロック時に該ハンドルに設けたストップピン２７に係止する係止凹部２８が形成されているとともに、先端部端辺にハンドル７が折り畳まれたときのロック時にストップピン２７に係止する係止凹部２９が形成されている。また、ロックレバー２６の本体部２６ａの反対側となる部位には斜め外向きの操作部片２６ｂが本体部２６ａと一体に設けられ、この操作部片は後述のカバーに形成した切り込み溝から外部に突出するようになっている。そして、このような構成のロックレバー２６は支持軸２５に介装したスプリング３１により常時、係止凹部２８又は係止凹部２９がストップピン２７に係止する方向に付勢されている。
【００２１】
テーブル１上の長溝４には合成樹脂製で棒状の刃受け３３が開口５から摺動自在に嵌合されており、ハンドル７の折り畳み時に長溝４から開口５方向に摺動させて取り外すことが可能になっている。つまり、通常の使用では刃受け３３は長溝４に非開口側となる奥側がテーブル１の一方の端壁に当接し、開口側には取り外すときに指で摘めるように１センチ程度突出した状態で嵌合されている。刃受け３３を例えばポリエチレン製とすると、ポリエチレンは柔らかいため、断裁刃１５の保護に適するものとなる。この実施の形態の刃受け３３は、断面が四角形となっていて、そのうちの一面が刃受け面となるが、経年使用により該面が刃型によって溝状の模様が付いた状態になったら、一旦長溝４から引き出し、異なる面が刃受け面となるようにして挿入する。このようにすれば１つの刃受け３３で４つの刃受け面を有することになり、経済的である。
【００２２】
図２において、３５はマシンカバーで、フレーム２周りのマシンを覆うようにビス３４によってフレーム２の頂壁に着脱可能に取り付けられ、その上面と正面にはハンドル７のレバーハンドル８の作動を許容するための切り込み溝３６やロックレバー２６の作動を許容するための切り込み溝３７が形成されている。また、マシンカバー３５の後ろ側外面とテーブル１の後ろ側端部の面が面一となっており、この構成により図１のような通常の使用での平置きから後述するような該両面を、例えば図示しない置台の上に載置するときに底面とする、収納や保管の使用での縦置きが可能となっている。
【００２３】
テーブル１上において、３８はサイドゲージ、３９はサイドゲージ３８に沿って摺動自在に装着されたスライドゲージ、４０はサイドゲージ３８の上面に貼付される目盛シールである。
【００２４】
なお、詳しくは図示していないが、この実施の形態においては前記した支持ステーに光ビームを断裁刃１５の一面に沿って照射する光源としてＬＥＤランプが設けられ、テーブル１上に設けた表示スイッチ４１をオンすることにより点灯し、オフすることにより消灯が可能になっていて、点灯により断裁する用紙に対する断裁刃１５のカットラインを容易に目視できるようになっている。特に実施の形態ではマシンカバー３５の後壁の下方が開口した構成にしているので、該開口を経て断裁する用紙をその片辺を当接することなく、自由な状態にして断裁が可能なようになっている。
【００２５】
前記のように構成された実施の形態の動作について、図３〜５を参照して以下に説明する。
【００２６】
図３はハンドル７が作動前、つまり断裁前の上方位置（待機位置）にロックした状態を示す。この状態ではレバーハンドル８のストップピン２７にロックレバー２６の係止凹部２８が係止し、ハンドル７がロックされている。このロック状態で断裁刃１５とプレスプレート１６も刃受け３３との間に断裁する用紙のセットが可能な隙間が形成されるため、断裁する用紙をテーブル１上に設けたサイドゲージ３８とスライドゲージ３９を用いて所定の位置決めをしてセットする。
【００２７】
用紙を断裁するには表示スイッチ４１をオンしてＬＥＤランプからの光ビームを用紙に照射してそのカットラインを目視し、その位置が決まったところでロックレバー２６の操作部片２６ｂを手で後ろ側に倒すようにすると、ロックレバー２６の係止凹部２８がストップピン２７から外れる。その後、ハンドル７の握り部１１を手で持ってレバーハンドル８を手前側に倒すと、回動軸６の回動に伴ってレバーハンドル８上のカッティングロール１２が断裁刃１５の上縁に接し、断裁刃１５をテンションスプリング１９の付勢力に抗して押し下げる。そして、断裁刃１５の刃先が用紙の切断を始める前にプレスプレート１６が用紙の上面に当接し、これを押さえる。
【００２８】
プレスプレート１６が用紙を押さえた後も断裁刃１５の刃先が用紙に接した状態よりさらにレバーハンドル８を手前側に倒すと、斜孔２１に挿入されて断裁刃１５に設けられた刃止めボルト１７がテンションスプリング２３の付勢力に抗して斜孔２１の上端から下端方向へ移動する。そして、この移動が断裁刃１５の刃先の斜め下方への移動となって用紙を引き切るように食い込み、刃先が刃受け３３に接したらハンドル７を上方に上げれば用紙は断裁しようとするラインで断裁される。この断裁刃１５が用紙を切断した切断時がハンドルの下方位置となる。ハンドル７を上方に上げるに際してはテンションスプリング１９の付勢力が作用し、ハンドル７はスムーズに上動し、再びストップピン２７がスプリング３１により前側に傾くようになったロックレバー２６の係止凹部２８に自動的に係止し、ロック状態に戻り、次の断裁ができるように待機することになる。また、断裁刃１５もハンドル７に先立ちテンションスプリング２３の付勢力の作用により元の移動前の状態に復帰する。
【００２９】
図４はハンドル７が作動後の下方位置にもたらされることにより断裁刃１５の刃先が刃受け３３に当接して用紙の断裁が終わった状態（断裁終了位置）を示す。同図からも明らかなようにレバーハンドル８の押下に伴い係止凹部２８から外れたストップピン２７は、断裁終了位置ではレバーハンドル８の本体部２６ａの下縁と係止凹部２９の手前で当る状態になる。
【００３０】
図５はハンドル７を図４の状態よりもさらにテーブル１側に寄せて不使用時に邪魔にならないようにした、収納時や保管時の状態を示す。この状態にするには、まず、長溝４に嵌合されている刃受け３３を開口５から突出した端部を手で摘まんで引き出すようにして取り外す。刃受け３３が取り外されればその跡は刃先の下方には長溝４のみとなり、ハンドル７を図４の状態よりさらに下降させれば、プレスプレート１６はそのまま、断裁刃１５の刃先は長溝４に入り込み、これに伴いストップピン２７がレバーハンドル８の本体部２６ａの下縁から係止凹部２９に係止し、ハンドル７がロックされた状態になる。この状態を示すのが図５であり、ハンドル７のレバーハンドル８がテーブル１の上面とほぼ平行となる状態までテーブル１側に寄せられていることがわかる。
【００３１】
前記のようにハンドル７を折り畳んでロックされた状態では、断裁刃１５の刃先がテーブル１の上面より下となる刃受け跡の長溝４内に入り込むので、使用者の手や指が刃先に当らず危険度も減少する。また、レバーハンドル８を断裁機本体の下方位置よりさらに下方で固定できることにより平置きにした場合でも高さを低く抑えることができ、しかもロックがかかるので従前のようにテンションスプリングの力でハンドルが上に跳ね上がることもなくなることは勿論、従前のようにダンボールケースに入れてもハンドルが跳ね上がらないように紐やテープで固定する必要もなくなる。さらに、ハンドル７をロックするためのストップピン２７も１本で上下両方の固定に共通で使用できるようにし部品点数の削減を図ることが可能になる。
【００３２】
前記のようであって、図５のようにロックされた状態では使用時の断裁後のハンドル位置（下方位置）よりもさらにテーブル１側にハンドル７が位置するようになるので、従前のようにハンドルの握り部側が極端に斜め上方に突出することもなく、断裁機全体がコンパクトな形態になる。そのため、図５の状態にした後、断裁機全体を図６のように縦置きにすればダンボール等の梱包材への収納は勿論、収納し又はしなくとも例えば狭いスペースでも保管が可能となり、すこぶる利便性の高いものとなる。なお、このような縦置きは従前の断裁機ではマシンカバー側のテーブル端部が通常マシンカバー３５より外側に突出した構成のものがほとんどであったため不可能であったが、この断裁機にあってはマシンカバー３５の後ろ側外面とテーブル１の後ろ側端部の面が面一となっているからこそ可能となる。
【００３３】
繰り返しになるが、従前の断裁機と比べ大幅にコンパクト化することができた。このため、多くの個人ユーザーやスモールオフィスで使用しているユーザーからの不満点の解消ができた。ハンドル７をテーブル１側に下げた状態でロック固定でき、なおかつ収納時スタンド式にしたため不使用時の収納が簡単で、本棚やラック等の隙間に置くこともできるようになった。また、ハンドル７が上がった状態で平置きをしなくてすむために小さい子供のいる家庭でも安全に使用することができる。また、コンパクトになり搬送も楽になる。また、部品点数も従前の断裁機と比べて増やさずにハンドル固定機構を製作したため価格の上昇もなくユーザーにとってのメリットも大きい。
【００３４】
前記実施の形態は好ましい一例を示したにすぎず、刃１５やプレスプレート１６をはじめ、ハンドル７、ロックレバー２６等の構成は実用新案登録請求の範囲に記載した範囲で他の同効の機構の構成に置き換えてもよい。また、実施の形態ではテンションスプリング１９をフレーム２の内側に配したが、これは外側に配してもよい。
【符号の説明】
【００３５】
１  テーブル
２  支持フレーム
３  開口溝
４  長溝
５  開口
６  回動軸
７  ハンドル
８  レバーハンドル
９  カラー
１０  握り軸
１１  握り部
１２  カッティングロール
１３  ロール軸
１５  断裁刃
１６  プレスプレート
１７  刃止めボルト
１９，２３  テンションスプリング（付勢部材）
２５  支持軸
２６  ロックレバー
２７  ストップピン
２８  係止凹部
２９  係止凹部（第２の係止凹部）
３３  刃受け
３５  マシンカバー
３６，３７  切り込み溝
【図１】
0003179943.tif 000003
【図２】
0003179943.tif 000004
【図３】
0003179943.tif 000005
【図４】
0003179943.tif 000006
【図５】
0003179943.tif 000007
【図６】
0003179943.tif 000008